(57)【要約】【課題】取り扱いやすさを低下させることなく、省スペースでの設置を可能にできる光成端箱を提供する。【解決手段】本体部１１と蓋からなるケースを有し少なくとも光ケーブル１７とケース外部１９の光ファイバ心線２１とをコネクタ２３を介して相互に接続する光成端箱２５であって、光ケーブル１７をケース内部２７に導入する光ケーブル導入部２９と、光ケーブル導入部２９を挟んで左右側に配列され光ファイバ心線同士をコネクタ接続するアダプタ３１を先端に装備した光モジュール３３と、アダプタ３１に係止されるコネクタ２３に一端部３５が接続された光ファイバ心線２１を光ケーブル１７に融着接続した融着接続部３７と共に光ファイバ心線２１の余長部３９を収納する収納トレイ４１と、を具備し、収納トレイ４１を光ケーブル導入部２９及び光モジュール３３の上方に配置した。【選択図】図２
2011248075.tif 000002
【特許請求の範囲】
【請求項１】
本体部と蓋からなるケースを有し少なくとも光ケーブルとケース外部の光ファイバ心線とをコネクタを介して相互に接続する光成端箱であって、
前記光ケーブルをケース内部に導入する光ケーブル導入部と、
前記光ケーブル導入部を挟んで左右側に配列され光ファイバ心線同士をコネクタ接続するアダプタを先端に装備した光モジュールと、
前記アダプタに係止されるコネクタに一端部が接続された光ファイバ心線を前記光ケーブルに融着接続した融着接続部と共に前記光ファイバ心線の余長部を収納する収納トレイと、を具備し、
前記収納トレイを前記光ケーブル導入部及び前記光モジュールの上方に配置したことを特徴とする光成端箱。
【請求項２】
請求項１記載の光成端箱であって、
前記収納トレイが、着脱自在に前記本体部に取り付けられていることを特徴とする光成端箱。
【請求項３】
請求項１又は請求項２記載の光成端箱であって、
前記光ケーブル導入部以外の他の光ケーブル導入部が前記ケースに形成されていることを特徴とする光成端箱。
【請求項４】
請求項１〜請求項３のいずれか１項に記載の光成端箱であって、
左右側に配列された前記光モジュールが左右に開いて前記光ケーブル導入部が開放されることを特徴とする光成端箱。
【請求項５】
請求項１〜請求項４のいずれか１項に記載の光成端箱であって、
前記光ケーブル導入部、前記光モジュール、及び前記収納トレイが、ケース内部に収容され、
前記アダプタがケース外部に露出することを特徴とする光成端箱。
【発明の詳細な説明】
【技術分野】
【０００１】
本発明は、光ケーブルと光ファイバ心線とをコネクタを介して相互に接続する光成端箱に関する。
【背景技術】
【０００２】
近年、光ファイバを伝送路として一般個人宅へ直接引き込むＦＴＴＨ（Fiber To The Home）が盛んになってきている。光ケーブルが屋外から住宅、マンション、ビル内に引き入れられる場合、光ケーブルを把持、固定し、コネクタとつなぐ、成端機能のある箱（光成端箱）が必要となる。
【０００３】
例えば特許文献１には、局外光ファイバケーブル芯線と局外光ファイバコードとの融着接続部を収容する融着接続トレイを成端箱本体に内蔵し、局外光ファイバコードを、コネクタを介して局内ファイバコードに接続するコード接続部を備える光成端箱が開示されている。また、特許文献２には、ＦＯコードをモジュールケースに後面側から引き入れ、先端の光コネクタをモジュールケースの前面部のアダプタに内側から嵌合させた光接続箱が開示されている。また、特許文献３には、主ケーブルの光ファイバ心線を光分岐させて分岐ケーブルの光ファイバ心線に接続するスプリッタモジュール部と、スプリッタモジュール部を収容する本体部と、を備える光ケーブル接続用クロージャが開示されている。これらは、いずれも屋外からの光ケーブルを、コネクタを介して屋内用のコードやケーブルに変換したり、配線接続作業の責任を明確にする責任分界点としての機能を有している。
【先行技術文献】
【特許文献】
【０００４】
【特許文献１】実開平７−１６９０２号公報
【特許文献２】特開２００７−１９２９６５号公報
【特許文献３】特開２００９−８６４６４号公報
【発明の概要】
【発明が解決しようとする課題】
【０００５】
しかしながら、従来の光成端箱は、単体として設けられることは少なく、既存の分電盤や既設のＢＯＸ内を利用している。しかし、分電盤内においては、既設のメタル配線や端子盤等が多数ある。このため、より小型で光ケーブルを導入でき、コネクタで成端される光成端箱が必要になっている。また、携帯電話やパソコンで使用する容量は年々大きくなり、様々なサービスを提供するようになってきたため、ビルや無線基地局等に導入される光ケーブルの心数も２０心以上と増えてきた。このように、設置スペースの制約から小型化が要求される一方で、小型化が進めば光成端箱内での作業スペースの確保が難しくなり、取り扱いにくくなる問題が生じた。このため、これらを満足するより小型の光成端箱が必要になってきた。
【０００６】
本発明は上記状況に鑑みてなされたもので、その目的は、取り扱いやすさを低下させることなく、省スペースでの設置を可能にできる光成端箱を提供することにある。
【課題を解決するための手段】
【０００７】
本発明に係る上記目的は、下記構成により達成される。
（１）  本体部と蓋からなるケースを有し少なくとも光ケーブルとケース外部の光ファイバ心線とをコネクタを介して相互に接続する光成端箱であって、前記光ケーブルをケース内部に導入する光ケーブル導入部と、前記光ケーブル導入部を挟んで左右側に配列され光ファイバ心線同士をコネクタ接続するアダプタを先端に装備した光モジュールと、前記アダプタに係止されるコネクタに一端部が接続された光ファイバ心線を前記光ケーブルに融着接続した融着接続部と共に前記光ファイバ心線の余長部を収納する収納トレイと、を具備し、前記収納トレイを前記光ケーブル導入部及び前記光モジュールの上方に配置したことを特徴とする光成端箱。
【０００８】
この光成端箱によれば、本体部に蓋が被せられて形成されるケースの内部空間に、光ケーブル導入部と、その左右の光モジュールとが同一面上（本体部の底板上）で配置（レイアウト）され、これら下層レイアウトの上層に、収納トレイが重ねられて配置される。したがって、光ケーブル導入部、光モジュール、及び収納トレイを同一平面上に配置するレイアウトに比べ、収納トレイを重ねて配置する分、設置面積を少なくすることができる。これにより、設置に必要な面積を小さくした光成端箱の小型化が可能となる。
【０００９】
（２）  （１）の光成端箱であって、前記収納トレイが、着脱自在に前記本体部に取り付けられていることを特徴とする光成端箱。
【００１０】
この光成端箱によれば、光ケーブル及び光ファイバ心線の収納時や、融着接続部の収納時に、脱着により収納トレイ内及び収納トレイの下方部への接近（アクセス）が容易となり、作業性を高めることができる。また、収納トレイを脱着することにより、光ケーブル導入部の上方を開放し、光ケーブル導入部へのアクセスも容易となる。
【００１１】
（３）  （１）又は（２）の光成端箱であって、前記光ケーブル導入部以外の他の光ケーブル導入部が前記ケースに形成されていることを特徴とする光成端箱。
【００１２】
この光成端箱によれば、方形状ケースの場合の例えば前面に配置された光ケーブル導入部以外に、前面を挟む両側面や背面に設けられる他の光ケーブル導入部から光ケーブルの導入が可能となる。これにより、導入部が一箇所である場合に、ケース内に確保しなければならなかった光ケーブルの引き回しスペースが不要となり、その分ケースの小型化が可能となる。
【００１３】
（４）  （１）〜（３）のいずれか１つの光成端箱であって、左右側に配列された前記光モジュールが左右に開いて前記光ケーブル導入部が開放されることを特徴とする光成端箱。
【００１４】
この光成端箱によれば、左右の光モジュールが左右に開き、中央に配置されている光ケーブル導入部の作業スペースが拡張されるので、光ケーブル導入部に作業スペースを確保しておく必要がなくなる。これにより、光ケーブル導入部には、光ケーブルを導入するための最小限のスペースを確保すればよく、その分ケースの小型化が可能となる。
【００１５】
（５）  （１）〜（４）のいずれか１つの光成端箱であって、前記光ケーブル導入部、前記光モジュール、及び前記収納トレイが、ケース内部に収容され、前記アダプタがケース外部に露出することを特徴とする光成端箱。
【００１６】
この光成端箱によれば、アダプタをケース外部に露出させることで、アダプタを使用してコネクタ同士を接続する作業者のアダプタへのアクセスを容易にできる。換言すれば、アダプタを使用する作業者は、アダプタ以外の光ケーブル導入部、光モジュール、及び収納トレイへ蓋を開けなければアクセスできなくなり、配線接続作業の責任分界点を明確にすることができる。これに加え、アダプタがケース外部となることで、ケース内部にアダプタ収容スペースが不要となり、その分、ケースの一層の小型化が可能となる。
【発明の効果】
【００１７】
本発明に係る光成端箱によれば、各使用部位を高密度で配置し、しかも、各使用部位へのアクセスを容易に構成したので、取り扱いやすさを低下させることなく、省スペースでの設置を可能にすることができる。
【図面の簡単な説明】
【００１８】
【図１】本発明に係る光成端箱の分解斜視図である。
【図２】光モジュールの開放状況及び他の光ケーブルの導入路を表した本体部の平面図である。
【図３】光成端箱の蓋を外した本体部の平面図である。
【図４】光成端箱の内部を側方から見た側面図である。
【図５】（ａ）は図１に示した光成端箱の平面図、（ｂ）はその前面図、（ｃ）はその背面図、（ｄ）はその側面図である。
【発明を実施するための形態】
【００１９】
以下、本発明の実施の形態を図面を参照して説明する。
図１は本発明に係る光成端箱の分解斜視図である。
光成端箱２５は、分電盤内の壁面等に沿って垂直に取り付けられる他、既設のＢＯＸ内に水平に取り付けられてもよい。光成端箱２５は、本体部１１と蓋１３からなるケース１５を有する。蓋１３は、側壁１３ａに形成した係止孔４３を、本体部１１の縁部に起立させた固定板４５の係止突起４７に係止して着脱自在に取り付けられる。
【００２０】
図２は光モジュールの開放状況及び他の光ケーブルの導入路を表した本体部の平面図、図３は光成端箱の蓋を外した本体部の平面図である。
光成端箱２５は、少なくとも例えば屋外からマンション等の建造物に導入される図２に示す光ケーブル１７と、マンション内の線である図３に示すケース外部１９の光ファイバ心線２１とをコネクタ２３を介して相互に接続する。本体部１１の中央前面側には光ケーブル導入部２９が設けられ、光ケーブル導入部２９は光ケーブル１７をケース内部２７に導入する。光ケーブル導入部２９に挿入された光ケーブル１７は、外被把持部４９において、結束バンド４９ａ等を用いて外被が固定される。外被把持部４９の奥側にはテンションメンバ把持部５１が設けられ、テンションメンバ把持部５１は光ケーブル１７のテンションメンバ７１を固定する。
【００２１】
テンションメンバ把持部５１の近傍にはトレイ取付部５３が立設され、トレイ取付部５３は上面に着脱自在な固定用ピン５５と、固定片５７とが設けられている。これら固定用ピン５５、固定片５７は、収納トレイ４１の装着用として使用される。
【００２２】
本体部１１には、光ケーブル導入部２９を挟んで左右側に複数の光モジュール３３が配列されている。光モジュール３３は、光ファイバ心線同士をコネクタ接続するアダプタ３１を先端に装備している。本実施の形態では、光モジュール３３は、左右にそれぞれ三段積層され、各光モジュール３３が、四つのアダプタ３１を備える。つまり、１つの光モジュール３３は４心成端用となっている。この光モジュール３３が左右に三段ずつ積層配置されているので、合計２４心がコネクタ接続可能となっている。なお、これら心数や積層数はこれに限定されるものではない。
【００２３】
積層される光モジュール３３は、平面視矩形である一つの隅部が、本体部１１に立設された支持ピン５９によって回動自在に支持されている。左右側に配列された光モジュール３３が左右に開くことで、中央に配置されている光ケーブル導入部２９が開放されるようになっている。
【００２４】
図４は光成端箱の内部を側方から見た側面図である。
トレイ取付部５３は、積層される光モジュール３３の最上面よりも上側に取付載置面６１が配置される。このトレイ取付部５３の取付載置面６１には収納トレイ４１が取り付けられる。収納トレイ４１は、図２に示すように、光ファイバの許容曲げ半径が確保される平面視長円形状の容器であり、トレイ蓋６３によって覆われる。収納トレイ４１は、底面に形成した図２に示す係合穴６５を、取付載置面６１の固定片５７に係合させた状態で、図３に示す固定孔６７に固定用ピン５５を固定することでトレイ取付部５３に固定される。すなわち、トレイ取付部５３に固定された収納トレイ４１は、光ケーブル導入部２９及び光モジュール３３の上方に配置されることになる。
【００２５】
収納トレイ４１の側壁には図２に示す複数の挿通開口部６９が形成され、挿通開口部６９を介して光ファイバ心線２１等の挿通が行えるようになっている。図２に示すように、光ケーブル１７の光ファイバ心線２１ａは、アダプタ３１に係止されるコネクタ２３に一端部３５が接続された光ファイバ心線２１と融着接続される。収納トレイ４１は、この融着接続部３７と共に、光ケーブル１７と光ファイバ心線２１の余長部３９を収納可能としている。
【００２６】
収納トレイ４１は、固定用ピン５５の脱着によって、本体部１１に対して着脱自在に取り付けられている。光ケーブル１７及び光ファイバ心線２１の収納時や、融着接続部３７の収納時に、脱着により収納トレイ４１内及び収納トレイ４１の下方部への接近（アクセス）が容易となり、作業性を高めることができるようになされている。また、収納トレイ４１を脱着することにより、光ケーブル導入部２９の上方を開放し、光ケーブル導入部２９へのアクセスも容易となっている。
【００２７】
図５（ａ）は図１に示した光成端箱の平面図、（ｂ）はその前面図、（ｃ）はその背面図、（ｄ）はその側面図である。
ケース１５の後部（背面寄り）には光ケーブル導入部２９以外の他の光ケーブル導入部２９ａ，２９ｂ，２９ｃ，２９ｄがケース１５に形成されている。本実施の形態では、ケース１５両側面の光ケーブル導入部２９ａ，２９ｄと、ケース１５背面の光ケーブル導入部２９ｂ，２９ｃの合計四つの他の光ケーブル導入部が形成されている。これら光ケーブル導入部２９ａ，２９ｂ，２９ｃ，２９ｄの近傍には図２に示すテンションメンバ把持部５１が設けられ、テンションメンバ把持部５１は光ケーブル１７のテンションメンバ７１を固定する。
【００２８】
光成端箱２５は、本体部１１に蓋１３が装着されることで、光ケーブル導入部２９、光モジュール３３、及び収納トレイ４１が、ケース内部２７に収容される。一方、光モジュール３３に装着されたアダプタ３１は、ケース外部１９に露出する。これにより、光モジュール３３は、蓋１３が装着された状態においても、外部からコネクタ２３を介して光ケーブル１７への接続が可能となっている。
【００２９】
次に、上記構成を有する光成端箱２５の作用を説明する。
光成端箱２５では、本体部１１に蓋１３が被せられて形成されるケース１５の内部空間に、光ケーブル導入部２９と、その左右の光モジュール３３とが同一面上（本体部１１の底板上）で配置（レイアウト）され、これら下層レイアウトの上層に、収納トレイ４１が重ねられて配置される。したがって、光ケーブル導入部２９、光モジュール３３、及び収納トレイ４１を同一平面上に配置するレイアウトに比べ、収納トレイ４１を重ねて配置する分、設置面積を少なくすることができる。これにより、設置に必要な面積を小さくした光成端箱２５の小型化が可能となっている。なお、収納トレイ４１を積層配置しない従来構造に比べ、収納トレイ４１の厚み分、ケース１５は厚くなるが、通常の分電盤等への増設では厚み方向での多少の増分は面方向に比べ吸収が比較的容易となる。
【００３０】
また、方形状ケースの場合の例えば前面に配置された光ケーブル導入部２９以外に、前面を挟む両側面や背面に設けられる他の光ケーブル導入部２９ａ，２９ｂ，２９ｃ，２９ｄから光ケーブル１７の導入が可能となる。これにより、導入部が一箇所である場合に、ケース１５内に確保しなければならなかった光ケーブル１７の引き回しスペースが不要となり、その分ケース１５の小型化が可能となっている。
【００３１】
また、左右の光モジュール３３が左右に開き、中央に配置されている光ケーブル導入部２９の作業スペースが拡張されるので、光ケーブル導入部２９に作業スペースを確保しておく必要がなくなる。これにより、光ケーブル導入部２９には、光ケーブル１７を導入するための最小限のスペースを確保すればよくなり、その分ケース１５の一層の小型化が可能となっている。
【００３２】
さらに、アダプタ３１をケース外部１９に露出させることで、アダプタ３１を使用する作業者のアダプタ３１へのアクセスを容易にできる。換言すれば、アダプタ３１を使用する作業者は、アダプタ３１以外の光ケーブル導入部２９、光モジュール３３、及び収納トレイ４１へ蓋１３を開けなければアクセスできなくなり、配線接続作業の責任分界点を明確にすることができる。これに加え、アダプタ３１がケース外部１９となることで、ケース内部２７にアダプタ収容スペースが不要となり、その分、ケース１５の小型化が可能となっている。
【００３３】
したがって、本実施の形態に係る光成端箱２５によれば、各使用部位を高密度で配置し、しかも、各使用部位へのアクセスを容易に構成したので、取り扱いやすさを低下させることなく、省スペースでの設置を可能にすることができる。
【符号の説明】
【００３４】
１１  本体部
１３  蓋
１５  ケース
１７  光ケーブル
１９  ケース外部
２１  光ファイバ心線
２３  コネクタ
２５  光成端箱
２７  ケース内部
２９  光ケーブル導入部
３１  アダプタ
３３  光モジュール
３５  一端部
３７  融着接続部
３９  余長部
４１  収納トレイ
【図１】
2011248075.tif 000003
【図２】
2011248075.tif 000004
【図３】
2011248075.tif 000005
【図４】
2011248075.tif 000006
【図５】
2011248075.tif 000007